(57)【要約】【課題】吸気ユニットの重量を支持可能としつつ、気密性と防振性も好適に維持可能とする。【解決手段】集塵機１において、吸気ユニット４と仕切板９との間に、空気入口２０と吸気口１４との間をシールする第１の弾性体（弾性リング２３）を設ける一方、吸気ユニット４を鉛直方向で弾性保持し、第１の弾性体よりもバネ定数が大きい第２の弾性体（弾性ブロック２４）を設けた。【選択図】図１
2014079371.tif 000002
【特許請求の範囲】
【請求項１】
吸込口を有するタンクの上部に、モータ及び吸込ファンを備えて下面に空気入口を開口させた吸気ユニットを有する本体を載置し、前記本体における前記吸気ユニットの下方に、前記空気入口と対向する吸気口を備える仕切板を設けた集塵機であって、
前記吸気ユニットと前記仕切板との間に、前記空気入口と前記吸気口との間をシールする第１の弾性体を設ける一方、前記吸気ユニットを鉛直方向で弾性保持し、前記第１の弾性体よりもバネ定数が大きい第２の弾性体を設けたことを特徴とする集塵機。
【請求項２】
前記第２の弾性体は、前記第１の弾性体の外側で前記吸気ユニットと前記仕切板との間に設けられて前記吸気口の周方向に所定間隔をおいて配置された複数の弾性ブロックであることを特徴とする請求項１に記載の集塵機。
【請求項３】
前記第１の弾性体は、前記仕切板上に載置される下側リングと、その下側リングと内周縁同士で結合され、外周側へ折り返されて上方へ膨出し、前記吸気ユニットの下面に当接する上側リングとからなる弾性リングであることを特徴とする請求項１又は２に記載の集塵機。
【発明の詳細な説明】
【技術分野】
【０００１】
本発明は、吸込口を有するタンクの上方に、モータ及び吸込ファンを備えた吸気ユニットを有する本体を載置した集塵機に関する。
【背景技術】
【０００２】
集塵機は、吸込口を有するタンクの上方に、モータ及び吸込ファンを備えた吸気ユニットを有する本体を載置して、モータの駆動に伴う吸込ファンの回転により、吸込口から外気を吸引してタンク内に設けたフィルタを通過させることで、外気と共に吸引した塵埃をタンク内に貯留可能としている。
また、このような集塵機においては、特許文献１に開示のように、本体に設けられて本体とタンクとの間を仕切る仕切板と吸気ユニットとの間に、環状のクッションゴムを介在させて、仕切板と吸気ユニットとの間のシールと、本体の防振とを図るようにしたものが知られている。
【先行技術文献】
【特許文献】
【０００３】
【特許文献１】実公昭４８−３１２４９号公報
【発明の概要】
【発明が解決しようとする課題】
【０００４】
しかし、上記特許文献１のクッションゴムは、吸気ユニットの重量を支える構造でもあるため、クッションゴムのへたりや吸気ユニットの沈み込みが生じないように硬度を確保する必要がある。ところが硬度を高くすると、逆にシールと防振との効果が低下する傾向にあり、結局クッションゴムのみで気密性と防振性との双方を満たすのは困難となっていた。
【０００５】
そこで、本発明は、吸気ユニットの重量を支持可能としつつ、気密性と防振性も好適に維持可能な集塵機を提供することを目的としたものである。
【課題を解決するための手段】
【０００６】
上記目的を達成するために、請求項１に記載の発明は、吸込口を有するタンクの上部に、モータ及び吸込ファンを備えて下面に空気入口を開口させた吸気ユニットを有する本体を載置し、本体における吸気ユニットの下方に、空気入口と対向する吸気口を備える仕切板を設けた集塵機であって、吸気ユニットと仕切板との間に、空気入口と吸気口との間をシールする第１の弾性体を設ける一方、吸気ユニットを鉛直方向で弾性保持し、第１の弾性体よりもバネ定数が大きい第２の弾性体を設けたことを特徴とするものである。
請求項２に記載の発明は、請求項１の構成において、第２の弾性体は、第１の弾性体の外側で吸気ユニットと仕切板との間に設けられて吸気口の周方向に所定間隔をおいて配置された複数の弾性ブロックであることを特徴とするものである。
請求項３に記載の発明は、請求項１又は２の構成において、第１の弾性体は、仕切板上に載置される下側リングと、その下側リングと内周縁同士で結合され、外周側へ折り返されて上方へ膨出し、吸気ユニットの下面に当接する上側リングとからなる弾性リングであることを特徴とするものである。
【発明の効果】
【０００７】
請求項１に記載の発明によれば、吸気ユニットと仕切板との間に、空気入口と吸気口との間をシールする第１の弾性体を設ける一方、吸気ユニットを鉛直方向で弾性保持し、第１の弾性体よりもバネ定数が大きい第２の弾性体を設けたことで、第１の弾性体によって気密性を保持しつつ、第２の弾性体によって防振性の確保と吸気ユニットの重量の支持とが可能となる。
請求項２に記載の発明によれば、請求項１の効果に加えて、第２の弾性体を、第１の弾性体の外側で吸気ユニットと仕切板との間に設けられて吸気口の周方向に所定間隔をおいて配置された複数の弾性ブロックとしたことで、吸気ユニットと仕切板との間のスペースを利用して第２の弾性体を防振と吸気ユニットの重量支持とに好適な位置に配置することができる。
請求項３に記載の発明によれば、請求項１又は２の効果に加えて、第１の弾性体を、仕切板上に載置される下側リングと、その下側リングと内周縁同士で結合され、外周側へ折り返されて上方へ膨出し、吸気ユニットの下面に当接する上側リングとからなる弾性リングとしたことで、気密性の保持に好適な第１の弾性体を得ることができる。
【図面の簡単な説明】
【０００８】
【図１】集塵機の縦断面図である。
【図２】弾性リング及び弾性ブロック部分の拡大図である。
【図３】突出部の底面を上方から見た説明図である。
【図４】弾性リングの斜視図である。
【図５】弾性ブロックの斜視図である。
【図６】変更例の集塵機の縦断面図である。
【図７】弾性リング及びコイルバネ部分の拡大図である。
【図８】変更例の集塵機の縦断面図である。
【発明を実施するための形態】
【０００９】
以下、本発明の実施の形態を図面に基づいて説明する。
図１は、集塵機の縦断面図で、集塵機１は、上面を開口したタンク２の上方に、モータ５及び吸込ファン６を備えた吸気ユニット４を有する本体３を載置してなる。タンク２の側面には、吸込口７が突設されて、タンク２の下面にはキャスタ８，８・・が設けられている。
【００１０】
本体３は、吸気ユニット４を本体３の中央に配置して、下端に形成した仕切板９をタンク２の開口に係止させることでタンク２を閉塞可能としている。また、タンク２と仕切板９との間には、有底筒状の一次フィルタ１０と、その内側に位置する同じく有底筒状の二次フィルタ１１との上端開口がそれぞれ介在されて、各フィルタ１０，１１がタンク２内へ下向きに突出している。１２は、一次フィルタ１０と二次フィルタ１１との間に介在される板状でスポンジ製のダンパである。
【００１１】
本体３の仕切板９の中央部は、二次フィルタ１１の内側で下向きへ有底筒状に突設した突出部１３となっており、突出部１３の下面中央には、円形の吸気口１４が形成されている。１５は、突出部１３と二次フィルタ１１の底面との間に設けられたフロートで、タンク２内に水を吸い込んだ際には水位の上昇に伴って吸気口１４を閉塞してそれ以上の吸込を停止させるものである。
【００１２】
一方、吸気ユニット４は、本体３の中央で突出部１３内に突出する状態で配置されている。吸気ユニット４は、上ケース１６と、下ケース１７と、上ケース１６と下ケース１７との間に介在される中間ケース１８とを有しており、上ケース１６と中間ケース１８との間にモータ５が出力軸５ａを下向きにした姿勢で保持されて、中間ケース１８に軸支されて下ケース１７内に突出する出力軸５ａに吸込ファン６が固着されている。上ケース１６には、仕切板９の上面に固着される支持板１９が連設されている。
【００１３】
また、吸気ユニット４の下ケース１７の下面には、吸気口１４と対向する空気入口２０が形成され、下ケース１７の側面には、複数の空気出口２１，２１・・が周方向に並設されている。本体３内には、空気出口２１と連通すると共に本体３の側面に設けた図示しない排気口と連通する排気通路２２が形成されている。
【００１４】
そして、突出部１３と吸気ユニット４の下ケース１７との間には、図２，３にも示すように、第１の弾性体としての弾性リング２３と、第２の弾性体としての弾性ブロック２４，２４・・とが配置されている。まず弾性リング２３は、図４にも示すように、吸気口１４の外周に立設されたリブ２５の外側に同心で配置されるゴム製のリング体で、リブ２５の外側に同心で形成された外リブ２６との間で突出部１３の底面上に載置される横断面横長板状の下側リング２７と、その下側リング２７と内周縁同士で結合され、外周側へ折り返されて上方へ膨出する横断面円弧状の上側リング２８とからなる。この弾性リング２３を突出部１３の底面上へ載置した状態では、上側リング２８が下ケース１７の下面に押圧されて弾性変形することで、上側リング２８が下ケース１７の下面に密着して吸気口１４と空気入口２０との間をシールするようになっている。
【００１５】
次に、弾性ブロック２４は、外リブ２６の外側で突出部１３の底面上へ放射状に配置されるゴム製のブロック体で、突出部１３の周方向に所定間隔をおいて３つ配置される。この弾性ブロック２４には、図５に示すように、内周側の内側上面２９よりも外周側の外側上面３０の方が高くなるように肉厚の差が設定されている。一方、下ケース１７の下面外周には、絞り部３１が形成されて、中央側の最も低い内側下面３２と、その外周にあって内側下面３２よりも高くなる外側下面３３とが表れる段部となっている。
【００１６】
各弾性ブロック２４は、内側上面２９が下ケース１７の内側下面３２に、外側上面３０が下ケース１７の外側下面３３にそれぞれ当接して下ケース１７を下方から支持するようになっている。なお、各弾性ブロック２４の上下面には、載置状態で吸気口１４と同心円となる複数の溝３４，３４・・が所定間隔をおいて形成されている。また、ここでの弾性ブロック２４は、弾性リング２３よりも硬度の大きい（バネ定数の大きい）ゴムで作製されている。
【００１７】
以上の如く構成された集塵機１においては、本体３の側面に設けた図示しない運転スイッチをＯＮ操作すると、モータ５が駆動して吸込ファン６が回転し、吸込口７に接続した図示しないホースから外気を吸引する。吸込口７からタンク２内に吸い込まれた外気は、一次フィルタ１０、ダンパ１２、二次フィルタ１１を順に通過して吸気口１４から本体３内に進入し、吸気ユニット４の空気入口２０から吸気ユニット４内に進入して空気出口２１から送出され、排気通路２２から排気口を介して本体３外部へ排出される。この空気の流れにより、外気と共に吸引された大きな塵埃は一次フィルタ１０で捕捉され、一次フィルタ１０を通過した小さな塵埃はダンパ１２若しくは二次フィルタ１１で捕捉される。
【００１８】
この運転状態で、吸気口１４の外周で突出部１３の底面上に載置される弾性リング２３は、上側リング２８が吸気ユニット４の下ケース１７の下面に当接しているため、突出部１３と下ケース１７との間の気密性が保たれる。
一方、ここでは突出部１３の底面と下ケース１７の下面との間に弾性ブロック２４，２４・・が配置されているため、吸気ユニット４が弾性ブロック２４，２４・・を介して突出部１３に支持される。また、各弾性ブロック２４は、硬度の大きいゴムで作製されているため、吸気ユニット４の重量を受けることができ、へたりが生じたり吸気ユニット４に沈み込みが生じたりすることがなくなる。さらに、モータ５の駆動によって吸気ユニット４に発生する振動は、弾性ブロック２４によって減衰され、突出部１３及び本体３へ伝わりにくくなる。
【００１９】
このように、上記形態の集塵機１によれば、吸気ユニット４と仕切板９との間に、空気入口２０と吸気口１４との間をシールする第１の弾性体（弾性リング２３）を設ける一方、吸気ユニット４を鉛直方向で弾性保持し、第１の弾性体よりもバネ定数が大きい第２の弾性体（弾性ブロック２４）を設けたことで、第１の弾性体によって気密性を保持しつつ、第２の弾性体によって防振性の確保と吸気ユニット４の重量の支持とが可能となる。
【００２０】
特にここでは、第２の弾性体を、第１の弾性体（弾性リング２３）の外側で吸気ユニット４と仕切板９との間に設けられて吸気口１４の周方向に所定間隔をおいて配置された複数の弾性ブロック２４，２４・・としたことで、吸気ユニット４と仕切板９との間のスペースを利用して第２の弾性体を防振と吸気ユニット４の重量支持とに好適な位置に配置することができる。
また、第１の弾性体を、仕切板９上に載置される下側リング２７と、その下側リング２７と内周縁同士で結合され、外周側へ折り返されて上方へ膨出し、吸気ユニット４の下面に当接する上側リング２８とからなる弾性リング２３としたことで、気密性の保持に好適な第１の弾性体を得ることができる。
【００２１】
なお、第１の弾性体は上記形態の弾性リングに限らず、下側リングと上側リングとが外周縁同士で結合されるものであってもよいし、下側リングと上側リングとに分かれない横断面Ｏ字状やＸ字状等の弾性リングを使用してもよい。また、リング状に連続する形態に限らず、複数の弾性体をリング状に配設することも考えられる。
【００２２】
一方、第２の弾性体も上記形態の弾性ブロックに限らず、形状や数等は適宜変更可能である。図６，７は変更例の１つを示すもので、この集塵機１ａでは、弾性ブロックに代えて第２の弾性体としてのコイルバネ３５，３５・・を周方向へ所定間隔で複数個配置して、コイルバネ３５，３５・・によって防振と吸気ユニット４の重量支持とを担わせるようにしている。勿論この場合もコイルバネ３５の方が弾性リング２３よりもバネ定数は大きいものが使用される。
【００２３】
また、第２の弾性体は吸気ユニットと仕切板との間に設けるものに限らない。図８に示す集塵機１ｂにおいては、第２の弾性体として、弾性リング２３よりもバネ定数が大きい引張バネ３６，３６・・を、吸気ユニット４の上側で本体３の上側内面と上ケース１６の上面との間に架設したものである。このようにしても、防振と鉛直方向での吸気ユニット４の重量の支持とが可能である。なお、この場合も引張バネ以外の弾性体が使用できる。
【符号の説明】
【００２４】
１・・集塵機、２・・タンク、３・・本体、４・・吸気ユニット、５・・モータ、６・・吸込ファン、７・・吸込口、９・・仕切板、１０・・一次フィルタ、１１・・二次フィルタ、１３・・突出部、１４・・吸気口、１６・・上ケース、１７・・下ケース、２０・・空気入口、２１・・空気出口、２２・・排気通路、２３・・弾性リング、２４・・弾性ブロック、２５・・リブ、２６・・外リブ、２７・・下側リング、２８・・上側リング、２９・・内側上面、３０・・外側上面、３１・・絞り部、３２・・内側下面、３３・・外側下面。
【図１】
2014079371.tif 000003
【図２】
2014079371.tif 000004
【図３】
2014079371.tif 000005
【図４】
2014079371.tif 000006
【図５】
2014079371.tif 000007
【図６】
2014079371.tif 000008
【図７】
2014079371.tif 000009
【図８】
2014079371.tif 000010